(57)【要約】【課題】可撓性のあるパウチをそのまま内容液の注出容器として使用することができ、パウチとしてスパウトを設ける必要がなく、したがって環境対応性、廃棄物削減性に優れたパウチを使用することができ、注出時のパウチの取扱いが容易で、パウチの流路の閉塞がなく、内容液の注出流れが円滑であり、かつ、パウチのノズル部のサイドシール部の付け根からのリークを防ぐことができるパウチ容器及びパウチホルダーを提供する。【解決手段】内容液を収容可能な胴部３１を可撓性のフィルム材で構成したパウチ容器１であって、前記フィルム材をサイドシールしたサイドシール部５、６を有し、前記胴部３１から突出した内容液注出用の注出ノズル部１２を有し、パウチホルダ２ーに係止される係止手段が前記注出ノズル部１２の両側のサイドシール部１７、１８に形成されている。【選択図】図２
2010159072.tif 000002
【特許請求の範囲】
【請求項１】
内容液を収容可能な胴部を可撓性のフィルム材で構成したパウチ容器であって、前記フィルム材をサイドシールしたサイドシール部を有し、前記胴部から突出した内容液注出用の注出ノズル部を有し、パウチホルダーに係止される係止手段が前記注出ノズル部の両側のサイドシール部に形成されていることを特徴とするパウチ容器。
【請求項２】
前記係止手段は横長の縁部の輪郭形状をなす係止穴で形成されていることを特徴とする請求項１に記載のパウチ容器。
【請求項３】
前記注出ノズル部は前記胴部側の基端部から先端部に行くほど末広がり状に広がっていることを特徴とする請求項１または２に記載のパウチ容器。
【請求項４】
前記注出ノズル部はパウチ容器の上方に向けて形成されることを特徴とする請求項１から３のいずれかに記載のパウチ容器。
【請求項５】
前記注出ノズル部の上端部は切り離し可能なタブで閉じられていることを特徴とする請求項１から４のいずれかに記載のパウチ容器。
【請求項６】
パウチ容器の注出ノズル部を囲んで収容可能なノズル保持部と、前記パウチ容器の注出ノズル部と連通して前記パウチ容器の注出ノズル部からの注出流れを案内するアダプターを有し、前記ノズル保持部に前記パウチ容器の注出ノズル部を解除可能に係止する係止部とを有することを特徴とするパウチホルダー。
【請求項７】
前記ノズル保持部は前記パウチ容器の注出ノズル部のサイドシール部を協働して挟持可能な挟持面を持つ２つの保持片を有し、前記挟持面の間で前記パウチ容器の注出ノズル部のサイドシール部の少なくとも一部が摺動可能に挟持されることを特徴とする請求項６に記載のパウチホルダー。
【請求項８】
前記アダプターは、同心状に位置する装着部内筒と装着部外筒を有する装着部とを有し、前記装着部内筒は軸方向に貫通する通液孔を有していて、前記装着部外筒は前記ノズル保持部の２つの保持片の外側に嵌合し、前記装着部内筒は前記ノズル保持部に保持された前記パウチ容器の注出ノズル部に挿入可能に構成されていることを特徴とする請求項７に記載のパウチホルダー。
【請求項９】
前記装着部内筒は先端に向かって次第に先細状となる形状をなすことを特徴とする請求項８に記載のパウチホルダー。
【請求項１０】
前記両保持片は前記パウチ容器の注出ノズル部のサイドシール部の少なくとも一部分が前記両保持片の挟持面の外方に出る状態で挟持するように構成され、前記装着部外筒は、前記パウチ容器の注出ノズル部のサイドシール部を内方へ押圧するように構成されていることを特徴とする請求項８または９に記載のパウチホルダー。
【請求項１１】
前記パウチ容器の前記注出ノズル部のサイドシール部に形成された係止穴に挿通する係止用ピンを前記両保持片のうちの少なくとも一方の保持片の挟持面から突出させて備えることを特徴とする請求項７から１０のいずれかに記載のパウチホルダー。
【請求項１２】
前記係止部は前記パウチ容器の注出ノズル部の上端を閉じる切り離し可能なタブが前記ノズル保持部の上端に露出する位置に前記パウチ容器の注出ノズル部を係止するように構成されていることを特徴とする請求項６から１１のいずれかに記載されているパウチホルダー。
【請求項１３】
前記ノズル保持部は前記パウチ容器を立てた状態で収容可能なパウチ収容用空間を囲む胴部殻壁を有し、前記胴部殻壁は前記パウチ容器を前記パウチ収容空間に出し入れ可能な開口を形成してある本体殻壁と前記本体殻壁に係合して前記開口を開閉可能な扉殻壁とを有することを特徴とする請求項６から１２のいずれかに記載のパウチホルダー。
【請求項１４】
前記アダプターは前記ノズル保持部に変位可能に連結されていることを特徴とする請求項６から１３のいずれかに記載のパウチホルダー。
【請求項１５】
前記アダプターは、前記アダプター上方に突出し側面の所定位置に通液口を有するアダプター通液部と、前記アダプター通液部を覆って側方に突出する注出案内部とを有し、前記注出案内部は前記アダプター通液部に対して回動変位して前記注出案内部の基部の液案内孔が前記アダプター通液部の前記通液口と連通する姿勢とその連通を遮断する姿勢とをとることが可能に構成されていることを特徴とする請求項６から１４のいずれかに記載のパウチホルダー。
【請求項１６】
前記アダプターを前記ノズル保持部に鎖錠する解除可能な係止機構を有することを特徴とする請求項６から１５のいずれかに記載のパウチホルダー。
【発明の詳細な説明】
【技術分野】
【０００１】
この発明は液体内容物を充填するパウチ容器及びそれを保持するパウチホルダーに関するものである。
【背景技術】
【０００２】
従来、洗剤などの液体内容物は金属缶、ガラスびん、プラスチックのボトル等の容器に詰められて製造され、販売され、かつ使用されて来たが、近年そのような容器の再利用を図るために液体内容物（以下「内容液」と称する）の詰め替え利用が行なわれて来ている。
この詰め替え用の内容液を充填する容器としては、環境対応、廃棄物削減に優れたパウチ容器の利用が広まっている。
【０００３】
パウチ容器は可撓性のあるフィルム材を重ねて、サイドシールし、重ねたフィルム材の間に内容液充填用の空間を形成したもので、内容液を注出する時の注出口としてはスパウトを設けたものと、フィルム材を切って注出口を形成するものとがある。
しかしながら詰め替え用大口径スパウト付きパウチは、持ち手位置が定まらない上、胴部の剛性が低く、しっかりと持てないために、注出操作が不安定になっている。またパウチに付けられた大口径スパウトは、プラスチックの使用量が多い上、パウチ破棄毎に捨てる廃棄物となっている。
【０００４】
さらに詰め替え用の手間を軽減するためにパウチ容器をホルダーで保持して直接使用することも提案されている。
このようなパウチ容器をホルダーに保持させるものとしては次のようなものがある。
【先行技術文献】
【特許文献】
【０００５】
【特許文献１】特開２００２−０１２２３６号
【特許文献２】特開２００２−２７４５６４号
【特許文献３】特開２０００−１４２７３０号
【特許文献４】特開２００１−０６３７３７号
【特許文献５】特開平０７−３１５３９５号
【特許文献６】特開２００７−２７６８１１号
【発明の概要】
【発明が解決しようとする課題】
【０００６】
特許文献１及び２はスパウト付きのパウチを硬質のスタンドや外容器で保持するものであって、スパウトが資源の問題や廃棄物の点で課題があることは前述の通りである。
【０００７】
特許文献３はパウチを隅部で切って注出する形式の技術であって、パウチを硬質の周囲壁の中に立てて収容し、周囲壁を傾けて内容液を注出するもので、パウチの固定手段としては周囲壁に縦のスリットを形成して、そのスリットにパウチのサイド部を挟み込んで固定するのであるが、スリットにパウチのサイド部を挟み込む操作をするのが容易ではないし、またパウチの固定が充分ではないので、注出時にパウチを傾むけたときに、パウチの固定がはずれて、内容液がこぼれる恐れがある。
【０００８】
特許文献４はパウチ上部を開口させて注出する形式の技術であって、パウチを硬質のフレームに取付けて立たせて保持し、フレームを傾むけて内容液を注出するようになっているが、パウチをフレームに固定するのにねじを使用するなど、パウチを固定する操作が必ずしも容易ではない。
【０００９】
特許文献５及び６はパウチのノズル部にアダプターを挿入して、ノズル部の開口状態を保ったものであるが、パウチのサイドシール部の付け根からのリークを防ぐのが困難である。
【００１０】
このようなことから、可撓性のあるパウチをそのまま内容液の注出容器として使用することができ、パウチとしてスパウトを設ける必要がなく、したがって環境対応性、廃棄物削減性に優れたパウチを使用することができ、注出時のパウチの取扱いが容易で、パウチの流路の閉塞がなく、内容液の注出流れが円滑であり、かつ、パウチのノズル部のサイドシール部の付け根からのリークを防ぐことができるパウチ容器及びパウチホルダーを提供することを目的とするものである。
【課題を解決するための手段】
【００１１】
この目的に対応してこの発明のパウチ容器は、内容液を収容可能な胴部を可撓性のフィルム材で構成したパウチ容器であって、前記フィルム材をサイドシールしたサイドシール部を有し、前記胴部から突出した内容液注出用の注出ノズル部を有し、パウチホルダーに係止される係止手段が前記注出ノズル部の両側のサイドシール部に形成されていることを特徴としている。
またこの発明のパウチホルダーは、パウチ容器の注出ノズル部を囲んで収容可能なノズル保持部と、前記パウチ容器の注出ノズル部と連通して前記パウチ容器の注出ノズル部からの注出流れを案内するアダプターを有し、前記ノズル保持部に前記パウチ容器の注出ノズル部を解除可能に係止する係止部とを有することを特徴としている。
【発明の効果】
【００１２】
請求項１に記載されたパウチ容器では、可撓性フィルムをヒートシールして注出ノズル部を形成するので、スパウトを必要としないパウチ容器が得られ、省資源の社会的要請に適い、環境対応、廃棄物削除に優れたパウチ容器を得ることができ、パウチホルダーに注出ノズル部をセットする際の位置決めが良好で、注出ノズル部の流路が潰れにくく、アダプターを挿入する際の荷重にも耐えることができ、良好な注出性を得ることができる。
【００１３】
請求項２に記載されたパウチ容器では、注出ノズル部のサイドシール部に係合穴が形成されているので、これにピンを通すなどすることによって注出ノズル部のパウチホルダーへの位置決めを確実にすることができるとともに、横長に形成することによってサイドシール部の横方向への摺動が許容され、サイドシール部を横に押してサイドシール部の内側基端部をアダプターに押しつけて、液もれを防ぐことが容易である。
【００１４】
請求項３に記載されたパウチ容器では注出ノズル部のノズル孔が上方に行くほど末広がり状に広がっているので、パウチホルダー内にセットした時にアダプターの挿入を確実にし、挿入圧力を高めて液もれを防ぐことができる。
【００１５】
請求項４に記載されたパウチ容器では注出ノズル部が上方を向いているので、パウチ容器の折れ曲がりなどによる流路の閉塞が起こりにくい。
【００１６】
請求項５に記載されたパウチ容器で注出ノズル部の上端部が切離し可能な開封用タブで閉じられているので、未使用の状態においてパウチ容器の密封性を確保することができるとともに、パウチ容器をパウチホルダーにセットした後の、注出の準備操作が容易である。
【００１７】
請求項６に記載されたパウチホルダーではノズル保持部でパウチ容器の注出ノズル部を位置決め、支持し、アダプターで内容液の注出流れを案内するので、パウチ容器を安定した取扱いと注出をすることができるパウチホルダーを得ることができる。
【００１８】
請求項７で記載されたパウチホルダーでは、ノズル保持部を分割可能な構造としたのでパウチ容器の注出ノズル部の出し入れで保持が容易であり、挟持された状態でサイドシール部が横方向に摺動できるので、アダプター挿入時の荷重に耐えるとともにアダプターと  注出ノズル部の密着性を高めることができる。
【００１９】
請求項８で記載されたパウチホルダーでは、装着部外筒によりノズル保持部の保持片を案内にしつつ装着部内筒をパウチ容器の注出ノズル部に差し込むため、アダプターの装着操作が容易である。
【００２０】
請求項９で記載されたパウチホルダーでは、アダプターの装着部内筒が先細状になっているので、パウチ容器の注出ノズル部に差し込むのが容易であり、注出ノズル部との密着圧力を高めることができる。
【００２１】
請求項１０で記載されたパウチホルダーでは、ノズル保持部の挟持面がパウチ容器の注出ノズル部のサイドシール部を挟んだときに、サイドシール部の外縁が挟持面からはみ出る形状、寸法としたので、そのはみ出たサイドシール部をアダプターの装着部外筒で内側に押してサイドシール部の内側基端部がアダプターの装着部内筒に密接するのを助長させ、内容液のもれをより確実に防ぐことができる。
【００２２】
請求項１１で記載されたパウチホルダーでは挟持面に突出する係止用ピンがあるので、これをパウチ容器のサイドシール部の係止穴に差し込むことができ、パウチ容器の注出ノズル部の保持が確実になる。
【００２３】
請求項１２で記載されたパウチホルダーでは、パウチ容器がパウチホルダーにセットされた状態において、パウチ容器の注出ノズル部の開封用タブがパウチホルダーのノズル保持部の上端よりも上方に出ているので、パウチホルダーにセットした後に開封することができ、セット操作中の液こぼれなどを防止できる。またノズル保持部の上端面をタブ切り離しの案内とすることができ、開封操作が容易である。
【００２４】
請求項１３で記載されたパウチホルダーでは、パウチ容器を胴部殻壁で保護するのでパウチ容器をあたかも剛体製の容器として扱うことができ、さらに胴部殻壁が本体殻壁と扉殻壁とからなっていて、パウチ容器を出し入れする開口を扉殻壁が開閉するのでパウチ容器のセットが容易である。
【００２５】
請求項１４で記載されたパウチホルダーでは、アダプターをノズル保持部に連結するのでパウチ容器の交換の際にもアダプターの取り扱いに煩わされることがなく、注出ノズル部への挿入が容易に行える。
【００２６】
請求項１５で記載されたパウチホルダーでは注出案内部を回転させて内容液が流通する通路を開閉することができるので、内容液の流通、断続の調整が容易である。
【００２７】
請求項１６で記載されたパウチホルダーでは、アダプターをパウチ容器の注出ノズル部に差し込んだ状態の姿勢をロックすることができるので、内容液を注出する時のパウチホルダーの取扱いが安定し、また不時の内容液のこぼれを避けることができる。
【図面の簡単な説明】
【００２８】
【図１】パウチ容器を示す図で（ａ）は正面図、（ｂ）は側面図
【図２】扉殻壁を開いた状態のパウチホルダーの説明図
【図３】パウチホルダーの正面図
【図４】パウチホルダーの右側面図
【図５】パウチホルダーの左側面図
【図６】パウチホルダーの平面図
【図７】パウチホルダーの底面図
【図８】パウチホルダーのノズル保持部にパウチ容器の注出ノズル部をセットした状態を示す斜視説明図
【図９】内容液が注出可能な状態のパウチホルダーの斜視図
【図１０】内容液の注出をしない状態のパウチホルダー斜視図
【発明を実施するための形態】
【００２９】
以下この発明の詳細を一実施の形態について図面を参照しつつ説明する。
【実施例１】
【００３０】
図１において１はパウチ容器である。図２において２はパウチホルダーであって、パウチ容器１を保持するためのものである。
【００３１】
パウチ容器１はパウチホルダー２の胴部３１の出入口４１から胴部３１のパウチ収容用空間４３内に挿入されてパウチホルダー２内に収納されて保持される。この保持のためには特にパウチ容器１の注出ノズル部１２の位置決めが重要で、パウチ容器１の注出ノズル部１２はパウチホルダー２のノズル保持部３２内に挿入されて保持される。
【００３２】
そこでまずパウチ容器１について説明する。
パウチ容器１は図１に示すように、可撓性のフィルム材からなる正面片３、背面片４を重ね両側部にサイドシール部５、６が形成されるようにヒートシール等によってサイドシール部を形成し、正面片３、背面片４の間に内容液充填用の空間７をもつパウチ胴部９を形成して、そこに内容液を充填する構造をなしている。
【００３３】
パウチ容器１の底部は正面片３、背面片４の下端を直接にシールしてボトムシール部８を形成して閉じ、または底面片１１を差し込んでボトムシール部８を形成して閉じる。
【００３４】
パウチ容器１の上部には注出ノズル部１２と充填口１３とが設けられ、注出ノズル部１２の上端はトップシール部１４が形成されて閉じられている。トップシール部１４の直下で開封後の注出ノズル部１２の上端となる部分に易開封線１６が設けられている。
【００３５】
注出ノズル部１２の易開封線１６よりも上の部分は易開封線１６を切るときに摘むタブ８８として機能する。
注出ノズル部１２は両側部がサイドシール部１７、１８に閉じられてパウチ胴部９から上方に突出して形成され、内部にノズル孔２１を有する。ノズル孔２１はノズル上端１５からノズル下端２２に達するが、ノズル下端２２でパウチ胴部９の空間７に連通している。
サイドシール部１７、１８にはそれぞれ横長の係止穴２５が形成される。
【００３６】
ノズル孔２１の径はノズル上端１５からノズル下端２２まで同じでもよいが、図１（ａ）に示すように、ノズル下端２２からノズル上端１５に行くにしたがって末広がり状に径が大きくなるように構成すると、後述するパウチホルダー２の装着部内筒６７の差し込みが円滑になるとともに、接触面積が増してシール性がよくなる。充填口１３の上端は空間７に内容液が充填された後にシールされてトップシール部２３が形成される。
【００３７】
また左サイドシール部５には後述するアダプターの係止部との干渉を逃げるシール後退部２４が形成される。
【００３８】
次にパウチホルダーについて説明する。
パウチホルダー２は図２に示すように、ノズル保持部３２と、ノズル保持部３２と一体に形成された胴部３１と、アダプター３３と、アダプター３３の係止部材３４とを有する。
胴部３１は胴部殻壁３５とその上に設けられている掛け止め機構４４とを有している。
胴部殻壁３５は本体殻壁３６と扉殻壁３７とからなっている。
本体殻壁３６は胴部殻壁３５の大部分を構成する筒状の殻壁で、下端は底殻壁３８で閉じている。筒状の本体殻壁３６はこの実施形態ではパウチ容器１の形状に対応して八角筒状をなしている。また本体殻壁３６の上端近傍の一方の側面にはパウチ容器１を出し入れする出入口４１が開口している。
出入口４１の近傍には扉殻壁３７がヒンジ４２を介して連結し、扉殻壁３７はヒンジ４２で回動して出入口４１を開閉する。
【００３９】
本体殻壁３６と扉殻壁３７は共働して胴部殻壁３５を構成し、胴部殻壁３５の内部にパウチ収容用空間４３が形成される。
本体殻壁３６と扉殻壁３７との連結構造は前述のヒンジ４２による他、スライド機構やその他の任意の連結機構を採ることができる。
【００４０】
本体殻壁３６と扉殻壁３７とは掛け止め機構４４によって掛け止めされる。掛け止め機構４４は互いに掛け止まり、またその解除が可能な掛け止め片４５、４６からなっていて、掛け止め片４５が本体殻壁３６の上端に設けられ、掛け止め片４６が扉殻壁３７の上端に設けられ、扉殻壁３７が本体殻壁３６の出入口を閉じた状態で掛け止め片４５と掛け止め片４６が係合して本体殻壁３６と扉殻壁３７が掛け止めされている。
【００４１】
ノズル保持部３２は、円筒状をなし胴部３１の胴部殻壁３５から上方に突出して形成されているノズル保持部材４８を有する。
ノズル保持部材４８の内面はパウチ容器１の注出ノズル部１２を囲んで収容可能なノズル保持面４７を有する。
ノズル保持部材４８はノズル保持面４７の中心線を含む断面で分割したノズル保持部材片５１、５２が合わさって協働して構成する。
それぞれのノズル保持部材片５１、５２は内面に協働して１個のノズル保持面４７を構成する半割ノズル保持面５３、５４を有しており、またノズル保持部材片５１、５２がノズル保持部材４８を構成するときに合わさる端面は後に述べるパウチ容器１の注出ノズル部１２のサイドシール部１７、１８を挟む挟持面５５，５６を構成する。
ノズル保持部材片５１は胴部３１の本体殻壁３６の上端から突出し、ノズル保持部材片５２は扉殻壁３７の上端から突出して形成されている。
【００４２】
挟持面５５、５６の一方または両方から係止用ピン５７が突出している。この係止用ピン５７は後述するようにパウチ容器１の注出ノズル部１２のサイドシール部１７、１８を挟持面５５、５６が挟むときにサイドシール部１７、１８に形成されている係止穴２５に挿通されて注出ノズル部１２を位置決めする。
【００４３】
また挟持面５５、５６はパウチ容器１の注出ノズル部１２のサイドシール部１７、１８を挟持するときに、サイドシール部１７、１８外縁の少なくとも一部分が挟持面５５、５６から外側にはみ出る状態で挟持し、サイドシール部１７，１８が内側へ向けて押圧される動きを許容するような寸法または形状に構成されている。
【００４４】
またこのノズル保持部材４８はパウチ容器１の注出ノズル部１２の上端のタブ８８がノズル保持部材４８の上端から露出するように注出ノズル部１２を保持する寸法または形状になっている。
【００４５】
ノズル保持部材４８には装着部６１が係合可能であり、装着部６１はノズル保持部３２または胴部３１の上端近傍を介してノズル保持部３２に回動可能に取り付けられている。
【００４６】
図３から図６に示すように、アダプター３３は装着部６１とアダプター通液部６２と注出案内部６３とを備え、リンク機構６４によって回動可能に胴部殻壁３５の上端部（この実施形態では掛け止め機構４４近傍）に枢支されている。
【００４７】
装着部６１は同心状に配置された装着部内筒６７（図２）と装着部外筒６８とを有し、装着部外筒６８の上端は天板７１によって装着部内筒６７との間で閉じられている。
装着部外筒６８はノズル保持部材４８の外側に円滑に嵌合する内径をなし、かつリンク機構６４のリンク７２に回動可能に連結している。
【００４８】
装着部内筒６７は先端に向ってノズル保持面４７の内側に円滑に入り得る外径で次第に先細状となる形状をなしかつ軸方向に貫通する通液孔７４を有する胴部７３を有していて、装着部外筒６８の回動によってノズル保持部材４８のノズル保持面４７の内側に出入する姿勢をとることができる。
胴部７３の上部をなすアダプター通液部６２の前方の側面には通液孔７４に通じる通液口６９（図４）が貫通して形成されていて胴部７３の内外が連通している。
アダプター通液部６２には注出案内部６３が回転摺動可能に嵌合している。
注出案内部６３は弁筒８１と注出案内筒８２とからなっていて、弁筒８１は筒状をなしてアダプター通液部６２に対して液密に摺動回動可能に嵌合している。
弁筒８１には注出案内筒８２の基部に液案内孔８３が貫通形成されていて、この弁筒８１は液案内孔８３がアダプター通液部６２の通液口６９と一致して開口する位置と通液口６９を閉じる位置との間に回動することができる。
【００４９】
弁筒８１の外面には注出案内筒８２が側方に突出している。これはパウチ容器１の内容液を外部に注出するときの注ぎ口となる部分であるが、弁筒８１が回動して液案内孔８３が通液口６９と一致するときにパウチ容器１内の内容液は注出案内筒８２から注出されることができる。
【００５０】
アダプター３３は係止部材３４によってノズル保持部３２または胴部３１を介してノズル保持部３２に係止されて姿勢を保持される。係止部材３４はアーム８５と係止ロッド８６とからなっていて、アーム８５の一端がアダプター３３に枢着し、他端には係止ロッド８６が枢着していて係止ロッド８６が胴部３１の係止溝８７（図２）に嵌入することによって、アダプター３３の係止が実現する。本実施形態では、アーム８５に枢着された係止ロッド８６の他端はアダプター３３のリンク機構６４（リンク７２）に枢着され、係止ロッド８６のぐらつきを防止している。
【００５１】
次にこのように構成したパウチ容器１とパウチホルダー２の作用について説明する。
パウチホルダー２の胴部３１の扉殻壁３７を開く。扉殻壁３７を開くと、これと一体になっている掛け止め機構４４の掛け止め片４６及びノズル保持部材４８のノズル保持部材片５２も開く。扉殻壁３７を開くと出入口４１が開くのでここからパウチ容器１を胴部３１に入れ、それからパウチ容器１の注出ノズル部１２のサイドシール部１７、１８をノズル保持部材片５１の挟持面５５に当接させ、かつ係止穴２５に係止用ピン５７を通す。
【００５２】
この状態で扉殻壁３７を閉じて掛け止め機構４４で掛け止めると胴部３１が閉じてパウチ容器１が収容され、さらにパウチ容器１のサイドシール部１７、１８が挟持面５５と挟持面５６の間に挟み込まれる。この状態においてはパウチ容器１の注出ノズル部１２の易開封線１６は図８に示すように、ノズル保持部材４８の高さｈだけ上にわずかに出ており、また、サイドシール部１７、１８の外縁は幅ｗだけ挟持面５５、５６の合せ目から側方にわずかに出ている。
この状態でパウチ容器１の注出ノズル部１２の先端を閉じているタブ８８を易開封線１６から切って注出ノズル部１２を開口させる。ノズル保持部材４８の上端面を切り離しの案内とできるので開封が容易である。
【００５３】
次にアダプター３３の装着部６１をノズル保持部材４８にかぶせる。これによって装着部６１の装着部内筒６７はノズル保持部材４８に保持されている注出ノズル部１２内に先端から挿入されて注出ノズル部１２の内面に接する。互いに向かい合うようにテーパー状となっているので強い圧力で密着される。また装着部外筒６８がノズル保持部材４８の外側に嵌合するとノズル保持部材４８の挟持面５５、５６の合わせ目から外側にはみ出しているサイドシール部１７、１８が内側に押されて移動しサイドシール部１７、１８の基端部内面が装着部内筒６７の外面に圧接してより完全な液密状態を現出する。次に係止部材３４でアダプター３３を固定する。
最後に注出案内筒８２を回転させて内容液の流路を開き、パウチホルダー２を傾ければ、内容液が注出される。
この発明は上記の実施形態に限定されず、様々な形態を取ることができる。すなわち、パウチ容器の注出ノズル部のサイドシール部に設ける係止手段は、上記実施形態では横長の係止穴で示したが、Ｃ字状の切れ目などでもよい。また係止位置が注出ノズル部の基端部近傍であれば、真円状の係止穴としてもよいし、サイドシール部に拡張部や滑り止め加工などを設けてパウチホルダーで強固に把持するようにしてもよい。基端部近傍でサイドシール部が拘束されても、先端寄りの部分は内側へ押圧可能にできる。
なお、注出ノズル部のサイドシール部に係止手段を設ける主な目的は、パウチホルダーにセットする際の注出ノズル部の位置決めを良好にすることと、アダプターを挿入する際の荷重に耐えうるようにすることであり、必ずしも内容液を充填したパウチ容器の重量を支えなくてもよい。パウチ容器自体の保持は胴部殻壁によってもよいし、パウチ容器胴部のサイドシール部や充填口側のトップシール部を挟持ないし係止穴などで支えてもよい。
注出ノズル部の突出方向は上向きが流路の閉塞を避ける上で好適だが、その他に斜めや横向きでもよい。
胴部殻壁はパウチ容器全体を覆わなくてもよい。胴部殻壁を有しないパウチホルダーとして、ノズル保持部にスタンド、ハンドル、吊り具などが組み合わされたもので構成してもよい。
胴部殻壁を構成する本体殻壁と扉殻壁の形態は、上述した本体殻壁の側面上方を扉殻壁が閉じるものに留まらず、本体殻壁と扉殻壁の大きさがほぼ等しい左右分割や、上下あるいは前後分割でもよいし、扉殻壁がノズル保持部の２つの挟持片の双方をなすように２パーツ構成とするなど、適宜の構造を採用することができる。
アダプターとノズル保持部を連結する場合、上述の回転可能な形態の他、アダプターの挿入方向へのスライド、回転と前後スライドの組み合わせでもよい。スライド動作を本体殻壁と扉殻壁の係止め機構と兼用することもできる。
アダプターは注出案内部を用いずに直接注出口を設けてもよく、この場合は別体のキャップで閉じるようにするとよい。またポンプ（手動、電動を問わない）を装着すれば、注出の際にパウチホルダーを持ち上げて傾ける必要がなく、大型のパウチ容器も容易に利用できる。
アダプターの係止機構も胴部殻壁に係止するものに限らず、ノズル保持部にネジ、バヨネット、ラチェットなどでロックする、かんぬきなどのパーツで抜け止めとするなど、何でもよい。
【産業上の利用可能性】
【００５４】
このように、この発明によれば可撓性のあるパウチをそのまま内容液の注出容器として使用することができ、パウチとしてスパウトを設ける必要がなく、したがって環境対応性、廃棄物削減性に優れたパウチを使用することができ、注出時のパウチの取扱いが容易で、パウチの流路の閉塞がなく、内容液の注出流れが円滑であり、かつ、パウチのノズル部のサイドシール部の付け根からのリークを防ぐことができるパウチ容器及びパウチホルダーを得ることができる。
【符号の説明】
【００５５】
１    パウチ容器
２    パウチホルダー
３    正面片
４    背面片
５    サイドシール部
６    サイドシール部
７    内容液充填用の空間
８    ボトムシール部
９    パウチ胴部
１１  底面片
１２  注出ノズル部
１３  充填口
１４  トップシール部
１５  ノズル上端
１６  易開封線
１７  サイドシール部
１８  サイドシール部
２１  ノズル孔
２２  ノズル下端
２３  トップシール部
２４  シール後退部
２５  係止穴
３１  胴部
３２  ノズル保持部
３３  アダプター
３４  係止部材
３５  胴部殻壁
３６  本体殻壁
３７  扉殻壁
３８  底殻壁
４１  出入口
４２  ヒンジ
４３  パウチ収容用空間
４４  掛け止め機構
４５  掛け止め片
４６  掛け止め片
４７  ノズル保持面
４８  ノズル保持部材
５１  ノズル保持部材片
５２  ノズル保持部材片
５３  半割りノズル保持面
５４  半割りノズル保持面
５５  挟持面
５６  挟持面
５７  係止用ピン
６１  装着部
６２  アダプター通液部
６３  注出案内部
６４  リンク機構
６７  装着部内筒
６８  装着部外筒
６９  通液口
７１  天板
７２  リンク
７３  胴部
７４  通液孔（内筒）
８１  弁筒
８２  注出案内筒
８３  液案内孔
８６  係止ロッド
８７  係止溝
８８  タブ
【図１】
2010159072.tif 000003
【図２】
2010159072.tif 000004
【図３】
2010159072.tif 000005
【図４】
2010159072.tif 000006
【図５】
2010159072.tif 000007
【図６】
2010159072.tif 000008
【図７】
2010159072.tif 000009
【図８】
2010159072.tif 000010
【図９】
2010159072.tif 000011
【図１０】
2010159072.tif 000012